(57)【要約】      （修正有）【課題】プルタブを引き起こす工程において、操作の手の動きを最小限に抑え、把手を持ち替えることもなく、障害となる引き起こし力を軽減するプルトップ缶の開缶具を提供する。【解決手段】プルタブ３に係合するフックを有するフック部５１と支軸部５２とを備えた可動部５と、支軸保持部６１と把手８とを備えた支持板６と、よりなり、前記支軸部５２が、前記支軸保持部６１に回動自在に軸支されていることを特徴とする。これにより、把手８に加える力の方向も円弧に近いので手の動きが少なくなり、把手８を持ち替えることもなく、操作が楽になり、且つ引き起こし力の大きさも少さくて良いという利点を実現した。さらに、把手８に立て掛け用の台座９を設けたり、折りたたみ式ハンドルにして使用の便宜を向上した。【選択図】図１
0003176391.tif 000002
【実用新案登録請求の範囲】
【請求項１】
プルトップ缶のプルタブを引き起こすための開缶具において、
前記プルタブに係合するフックを有するフック部と支軸部とを備えた可動部と、
支軸保持部と把手とを備えた支持板と、
よりなり、
前記支軸部が、前記支軸保持部に回動自在に軸支されていることを特徴とする
プルトップ缶の開缶具。
【請求項２】
前記把手に立て掛け用台座を設けた請求項１に記載のプルトップ缶の開缶具。
【請求項３】
前記把手が、折り畳みハンドルである請求項１に記載のプルトップ缶の開缶具。
【考案の詳細な説明】
【技術分野】
【０００１】  本考案は、プルトップ缶の開缶具に関し、特に、プルトップ缶のプルタブを引き起こす開缶具に関する。
【背景技術】
【０００２】  従来のプルトップ缶のプルタブは、缶の蓋の表面に密着した状態となっていたため、それを引き起こすことが困難であった。最近は、蓋の表面とプルタブの間に間隙を設け、指先若しくは爪を入れ易くし、引き起こし易くなっている。しかし、その間隙は依然として、小さく、高齢者や手の不自由な人には向かない。また、子供や指の力が弱い人ではこのプルタブを引き起こすことは、容易ではない。そこで、プルタブを引き起こすための工夫がなされ、力の弱い人、手の不自由な人でも扱える多くの開缶具が開発され、実用されている。【０００３】  広く実用されている開缶具（一般には、「プルタブ起こし」とも云われている）の引き起こし機能は、板、棒、箱などの主要部材であって、その一部が、爪状、鍵状、楔状などの形状よりなる機構を操作することによって達成される。いずれも、プルタブと蓋の表面との僅かの隙間に爪状部、鍵状部、楔状部などを挿入し、板、棒、箱などの主要部材の力で、プルタブを引き起こす。【０００４】  代表例として、ここにかかげたプルタブの引き起こし機は、金属製板材で形成されており、その金属製板材の一端側にプルタブを引き起こすための先端湾曲部を備える（特許文献１）。その公報は、先端湾曲部をプルタブの環状部に挿入し、プルタブを引き起こす手段を開示している。その公報の図２、図３によれば、金属製板材を広範囲に動かして、反転しなければならないことが伺える。金属製板材を反転させたのち、缶の周縁にあて、周縁を支点として金属製板材を押し下げる。反転し押し下げるとき、金属製板材を持ち替えなければならないと思われる。この反転と持ち替えの一連の動きは、高齢者や手の不自由な人にとっては、困難が伴う業である。【０００５】  この改善策として、プルタブ引き起こし機構として、板、棒などの主要部材でなく、箱形のキャップが提案されている（特許文献２）。その公報によれば、本体キャップの挿入穴をプルタブに挿入する。キャップに付属する紐を指でつまみ、上方に引き上げるという、プルタブを引き起す手段が開示されている。指先や手の動きは少なくて済むという利点はあるが、本体キャップは、小さく、紐の長さによっては、高齢者や手の不自由な人にとっては扱いにくいという新たな問題が発生する。また本体キャップは、市販されている一般のプルトップ缶に容易に適用出来るとの記述があるが、プルタブと蓋の表面との隙間は、キャップを挿入出来るほど開いていないのが普通である。
【先行技術文献】
【特許文献】
【０００６】
【特許文献１】特開２００８−１７４２７６号公報
【特許文献２】特許第２９１３２９３号公報
【考案の概要】
【考案が解決しようとする課題】
【０００７】  解決しようとする問題点は、プルタブを引き起こす工程において、操作の手の動きを最小限に抑え、把手を持ち替えることもなく、障害となる引き起こし力を軽減する点である。
【課題を解決するための手段】
【０００８】  本考案は、フック部を搭載した可動部を支軸部まわりに回動可能にしたことを最も主要な特徴とする。
【考案の効果】
【０００９】  本考案のプルトップ缶の開缶具は、フック部を搭載した可動部を支軸部まわりに回動可能にしたので、プルタブを引き起こす力の方向が直線方向から円弧方向に変わり、把手に加える力の方向も円弧に近く、そのため、操作の手の動きを最小限に抑え、把手を持ち替えることもなく、且つ引き起こし力の大きさも少さくて済むという利点がある。
【図面の簡単な説明】
【００１０】
【図１】本考案の実施の形態によるプルトップ缶の開缶具とプルトップ缶の斜視図である。
【図２】本考案の実施の形態によるプルトップ缶の開缶具の正面図である。（実施例１）
【図３】（ａ）本考案の実施の形態によるプルトップ缶の開缶具の使用態様１を示す状態図であり、図３（ｂ）は、図３（ａ）Ａ部拡大図である。
【図４】本考案の実施の形態によるプルトップ缶の開缶具の使用態様２を示す状態図である。
【図５】本考案の実施の形態によるプルトップ缶の開缶具の使用態様３を示す状態図である。
【図６】本考案の実施の形態による折り畳み型プルトップ缶の開缶具の正面図である。（実施例２）
【図７】本考案の実施の形態による折り畳み型プルトップ缶の開缶具の使用準備状態を示す正面図である。
【図８】（ａ）イージーオープン缶の平面図及び（ｂ）本考案の実施の形態によるプルトップ缶の開缶具をイージーオープン缶に適用した状態を示す正面図である。
【考案を実施するための形態】
【００１１】  プルタブを引き起こす工程において、操作の手の動きを最小限に抑え、把手を持ち替えることもなく、障害となる引き起こし力を軽減するという課題を、フック部を搭載した可動部を支軸部まわりに回動自在にしたことで解決した。本明細書においては、プルトップとは、タブがついて取り除けることが出来る缶容器の蓋の一部又は総てをさすものとする。缶容器の蓋の一部が取り除けるようにしたプルトップ缶は飲料用に使われ、缶容器の蓋の総てが取り除かれるプルトップ缶は、イージーオープン缶と呼称し、固形食材用などに使われている。
【実施例１】
【００１２】  図２は、本考案の実施の形態によるプルトップ缶の開缶具４１の実施例１（台座９付き）の正面図である。本考案のプルトップ缶の開缶具４１は、プルタブに係合するフックを有するフック部５１と支軸部５２とを備えた可動部５と、支軸保持部６１と把手８とを備えた支持板６とよりなり、前記支軸部５２が、前記支軸保持部６１に軸支されている。前記支軸部５２が、前記支軸保持部６１に軸支されているので、可動部５は支軸部５２まわりに回動可能となる。【００１３】  可動部５は内法巾５ｍｍのアルミ製Ｕ字形断面を持ち、先端にＵ字部分の横壁を削除した直径６ｍｍのフックよりなるフック部５１を備え、先端から２０ｍｍに支軸部５２のための軸孔を設ける。支持板６は、巾１０ｍｍ厚さ１ｍｍのステンレス若しくはメッキ鋼板で、先端は巾４．８ｍｍに部分加工し、支軸径２．２ｍｍの支軸保持部６２を設ける。支軸部５２は支軸保持部６３において、２ｍｍのボルトナット又はリベットで、回動可能に軸支されている。支持板６の他の端は合成樹脂製把手８に挿入される。把手８の太さは１２ｍｍ乃至は１５ｍｍの円形か楕円か類似の断面である。把手８の端に吊り下げ紐を通す孔か立て掛け保管のための立て掛け用台座９を設ける。（寸法は、概略値であり、材質、形状は、機能を実現するための一例にすぎない）【００１４】  図１は、プルトップ缶の開缶具４１とプルトップ缶１の斜視図である。この図は、プルタブ３は、タブ上端３１、タブ窓３２を有し、プルトップ２にリベット３３で止着されている状態を示す。開缶具４のフック部５１をプルタブ３のタブ上端３１とプルトップ２の間からタブ窓３２に抜けるように挿入する直前の状態を表している。【００１５】  図３（ａ）（ｂ）によって、開缶具４１の使用態様１を説明する。フック部５１をプルタブ３のタブ上端３１とプルトップ２の間からタブ窓３２に抜けるように挿入する。このとき開缶具４１は、矢印１０の方向に引き上げられる。矢印１０の方向に引き上げる力は、フック部５１が、プルタブ３から外れない程度であって、ここでプルタブ３を引き上げるために力を入れる必要はない。市販されているプルタブ起こしは、矢印１０の方向に力を注ぐが、相応の力を必要とし、高齢者や身体が不自由な人には、なじめない。【００１６】  図４は、開缶具４１の使用態様２を示した図であり、開缶具４１を矢印１０方向に引きながら、支軸部５２を中心として、矢印１１の方向に動かそうとする状態を表した状態図である。図３の使用態様１から手順を進めて、支持板６をプルトップ缶１の周縁付近に載置し、把手８を矢印１１の方向に押し下げると、可動部５は、支軸部５２まわりに回動し、プルタブ３は、リベット３３を中心として、回転するように、引き起こされる。把手８を矢印１１の方向に押し下げる力は、可動部５をフック部５１と支軸部５２を結ぶ直線方向（矢印１２）に要する引っ張り力より遙かに小さい。さらに、力を直線方向（矢印１２）に働かせるより、力を押し下げる方向（矢印１１）に働かせるほうが、操作が容易である。【００１７】  図５は、開缶具４１の使用態様３を示した図であり、把手８を矢印１１の方向に押し下げる工程において、図４の使用態様２から手順を進めて、プルタブ３を充分に引き起こした状態を表した状態図である。この後、開缶具４１を外し、プルタブ３を元の位置に復帰させ、開缶工程は完了する。【００１８】  プルトップ缶の開缶具４１は、操作する手の動きを最小限に抑え、把手を持ち替えることもなく、使用出来るので、高齢者でも、身体が不自由な人でも、力を要せず、簡単な操作で、容易に開缶出来るという効果がある。また、使用後、把手８に、立て掛け用台座９がある場合は立て掛けておくことが出来る。
【実施例２】
【００１９】  図６は、実施例１の場合の把手８を折り畳み式にしたプルトップ缶の開缶具４２であって、把手８２を折り畳んだ状態を示す。フック部５１を有する可動部５は、支持板６２上の支軸保持部６３に軸支される。支持板６２は、把手８２を支持する回転支軸８１を有し、保管時には、把手８２を折り畳む。図７は、把手８２を開いて使用準備状態を示す。把手８２に栓抜き機構を持たせれば利用の範囲が拡大する。
【産業上の利用可能性】
【００２０】  この開缶具は、イージーオープン缶を開缶するときにも適用出来る。図８（ａ）は、イージーオープン缶を示し、図８（ｂ）は、開缶具４１のフック部５１をプルタブ３ａに掛け、開缶具４１を矢印１２の方向に押し下げて、プルトップ２ａを開ける状態を示す。【００２１】  この開缶具は、取扱が容易であるので、プルタブを素早く、多量に開缶しなければならないときに使用して効果がある。
【符号の説明】
【００２２】  １  プルトップ缶
３  、３ａプルタブ
４１、４２  開缶具
５    可動部
５１  フック部
５２  支軸部
６、６２  支持板
６１、６３  支軸保持部
８、８２  把手
９  台座
１０、１１、１２  矢印
【図１】
0003176391.tif 000003
【図２】
0003176391.tif 000004
【図４】
0003176391.tif 000005
【図３】
0003176391.tif 000006
【図５】
0003176391.tif 000007
【図６】
0003176391.tif 000008
【図７】
0003176391.tif 000009
【図８】
0003176391.tif 000010